(57)【特許請求の範囲】
【請求項１】
基板等を収納する電気品箱を有する空気調和機本体と、
複数の固定箇所により前記電気品箱に固定され、内外接続線の芯線を挿抜するための複数の端子を一面に有し、半田付け電極を他の面に有する端子台と、
前記端子台が実装され、半田付け部を一端部に有し、前記半田付け部が前記半田付け電極と半田付けされて、前記端子台のみに固定され、且つ、前記端子台以外とは接触しない前記基板とを備え、
前記基板の周辺の前記本体に変位制限部材を設けたことを特徴とする空気調和機。
【請求項２】
基板等を収納する電気品箱を有する空気調和機本体と、
複数の固定箇所により前記電気品箱に固定され、内外接続線の芯線を挿抜するための複数の端子を一面に有し、半田付け電極を他の面に有する端子台と、
前記端子台が実装され、半田付け部を一端部に有し、前記半田付け部が前記半田付け電極と半田付けされて、前記端子台のみに固定され、且つ、前記端子台以外とは接触しない前記基板とを備え、
前記端子台を実装した前記基板と、他の回路を実装した基板とを一体で製造し、半田付けした後に分割して夫々前記本体の所定箇所に固定することを特徴とする空気調和機。
【請求項３】
基板等を収納する電気品箱を有する空気調和機本体と、
複数の固定箇所により前記電気品箱に固定され、内外接続線の芯線を挿抜するための複数の端子を一面に有し、半田付け電極を他の面に有する端子台と、
前記端子台が実装され、半田付け部を一端部に有し、前記半田付け部が前記半田付け電極と半田付けされて、前記端子台のみに固定され、且つ、前記端子台以外とは接触しない前記基板とを備え、
当該空気調和機は室外機を有し、前記本体は前記端子台の端子に接続される前記室外機への内外接続線を通す開口部を備え、前記開口部から前記基板実装面が視認でき、前記端子台は電線引き外しボタンが前記基板実装面とほぼ同一面に設置されていることを特徴とする空気調和機。
【請求項４】
半田付け時には、前記電線引き外しボタンの下方に捨て基板があり、半田付け後に前記捨て基板を取り外すことを特徴とする請求項３記載の空気調和機。
【請求項５】
基板等を収納する電気品箱を有する空気調和機本体と、
複数の固定箇所により前記電気品箱に固定され、内外接続線の芯線を挿抜するための複数の端子を一面に有し、半田付け電極を他の面に有する端子台と、
前記端子台が実装され、半田付け部を一端部に有し、前記半田付け部が前記半田付け電極と半田付けされて、前記端子台のみに固定され、且つ、前記端子台以外とは接触しない前記基板とを備え、
前記端子台の基板実装面側に、前記基板に挿入する基板挿入用突起を２箇所以上設けたことを特徴とする空気調和機。
【請求項６】
基板等を収納する電気品箱を有する空気調和機本体と、
複数の固定箇所により前記電気品箱に固定され、内外接続線の芯線を挿抜するための複数の端子を一面に有し、半田付け電極を他の面に有する端子台と、
前記端子台が実装され、半田付け部を一端部に有し、前記半田付け部が前記半田付け電極と半田付けされて、前記端子台のみに固定され、且つ、前記端子台以外とは接触しない前記基板とを備え、
当該空気調和機は室外機を有し、前記端子台の複数の端子は、夫々が同一形状で構成され、夫々が前記基板に実装される半田付け電極と、前記室外機への内外接続線が接続される電線固定部と、タブ端子とを備え、前記複数のタブ端子のうちの一つを露出させたことを特徴とする空気調和機。
【請求項７】
前記端子台は温度ヒューズを有し、前記温度ヒューズを前記基板に半田付けしたことを特徴とする請求項１乃至６のいずれかに記載の空気調和機。
【請求項８】
前記温度ヒューズは、前記端子台の内部又は該端子台の反基板側に実装されることを特徴とする請求項７記載の空気調和機。
【請求項９】
前記温度ヒューズのリード部が、湾曲していることを特徴とする請求項１乃至８のいずれかに記載の空気調和機。
【請求項１０】
当該空気調和機は室外機を有し、前記基板に前記室外機への給電を制御する室外機給電用リレーを実装したことを特徴とする請求項１乃至９のいずれかに記載の空気調和機。
【請求項１１】
前記基板にヒューズを実装したことを特徴とする請求項１乃至１０のいずれかに記載の空気調和機。
【請求項１２】
前記基板にフィルタ回路又はフィルタ回路の一部を実装したことを特徴とする請求項１乃至１１のいずれかに記載の空気調和機。
【発明の詳細な説明】
【技術分野】
【０００１】
この発明は、空気調和機に関するものであり、詳しくは端子台を実装する基板に関する。
【背景技術】
【０００２】
従来の空気調和機の端子台取付け構造として、セパレート型空気調和機の部品点数を少なくし、修理等のサービス作業を簡単にするために、室内ユニットに設けられる電装品箱内に、プリント基板を着脱可能に収納し、電装品箱内に設けられ、且つ室内ユニットと室外ユニットの接続線が接続される端子台をプリント基板の表面に実装するものが提案されている（例えば、特許文献１参照）。
【先行技術文献】
【特許文献】
【０００３】
【特許文献１】特開平１０−２５９９２９号公報
【特許文献２】特開２００３−０６５５５８号公報
【特許文献３】特開２００１−３３９１８３号公報
【特許文献４】実開平０５−０９０９８９号公報
【特許文献５】特開平０８−０６４２７７号公報
【発明の概要】
【発明が解決しようとする課題】
【０００４】
従来の基板に実装した端子台は、基板にのみ固定されているために、空気調和機の室内機と室外機を電気的に接続する内外接続線の挿抜時に加えられる応力が、端子台と基板の半田付け部に加わり、半田付け部の強度低下を招き、信頼性が低下する等の課題があった。
【０００５】
また、端子台を基板に接着する必要があり、加工費の増加の要因となっていた。さらに端子台には、端子台と内外接続線の接触抵抗増加に伴う異常発熱時には、端子台への通電を遮断するための温度ヒューズが取り付けられるが、その温度ヒューズはかしめ等によりリード線と接続されるため、加工作業が複雑となり、加工費が高くなるという課題があった。
【０００６】
この発明は、上記のような課題を解決するためになされたもので、内外接続線の挿抜時に加えられる応力が端子台の半田付け部に加わらないようにすることで、端子台の基板実装の信頼性が高く、安価に実現することができる空気調和機を提供することを目的とする。
【課題を解決するための手段】
【０００７】
この発明に係る空気調和機は、基板等を収納する電気品箱を有する空気調和機本体と、複数の固定箇所により前記電気品箱に固定され、内外接続線の芯線を挿抜するための複数の端子を一面に有し、半田付け電極を他の面に有する端子台と、前記端子台が実装され、半田付け部を一端部に有し、前記半田付け部が前記半田付け電極と半田付けされて、前記端子台のみに固定され、且つ、前記端子台以外とは接触しない前記基板とを備えたものである。
【発明の効果】
【０００８】
この発明に係る空気調和機は、上記構成により、端子に接続される接続線の挿抜時に加わる応力は端子台を固定する本体へ加わることになり、端子台と基板を接続する半田付け部へは応力は加わらず、半田付け部の強度低下を防ぐことにより、端子台取付の信頼性を高くできるという効果を有する。さらに端子台と基板の接着も不要となり、加工費を削減できる効果を有する。さらに、内外接続線の芯線の挿抜作業を容易に行うことができる。
【図面の簡単な説明】
【０００９】
【図１】図１は、実施の形態１を示す図で、電気品箱１の端子台６及び基板周辺部の断面図である。
【図２】図２は、実施の形態１を示す図で、端子台基板の部品実装面の平面図である。
【図３】図３は、実施の形態１を示す図で、端子台基板の半田付け面の平面図である。
【図４】図４は、実施の形態１を示す図で、端子台６周辺部の電気配線図である。
【図５】図５は、実施の形態１を示す図で、端子台基板４と電源基板５を一体で製造する時の基板配置の一例を示す平面図である。
【発明を実施するための形態】
【００１０】
実施の形態１．
図１乃至５は実施の形態１を示す図で、図１は電気品箱１の端子台６及び基板周辺部の断面図、図２は端子台基板４の部品実装面の平面図、図３は端子台基板４の半田付け面の平面図、図４は端子台６周辺部の電気配線図、図５は端子台基板４と電源基板５を一体で製造する時の基板配置の一例を示す平面図である。
【００１１】
図１において、電気品箱１（空気調和機本体の所定箇所の一例）は、空気調和機の室内機（図示せず）の側部に設けられている。電気品箱１の筐体は、板金で形成された外箱２と、樹脂で形成された内箱３で構成されている。電気品箱１の内部には、端子台基板４、電源基板５が設けられている。端子台基板４、電源基板５は、本実施の形態では分割されているが、端子台基板４と電源基板５とが一体のものでもよい。端子台基板４、または端子台基板４と電源基板５とが一体のもの、またはそれ以外の他の基板（例えば、制御基板）と一体のものを、基板とする。空気調和機の室内機、又は室外機も含めた全体を空気調和機とする。空気調和機本体とは、空気調和機の室内機本体（筐体）、又は全体が室内に設置される空気調和機の本体（筐体）をいう。
【００１２】
端子台基板４に、複数の端子を有する端子台６、室外機への給電を制御する室外機給電用リレー７、ヒューズ８、コンデンサ９、バリスタ１０（図２参照）が半田付けされている。
【００１３】
端子台６の凹形状６ａと、その周辺の構造体である内箱３の凸形状３ａとは嵌合しており、さらに端子台６はネジ１１で内箱３と固定されている。このとき端子台基板４は、内箱３の基板周辺の構造体とは接触・固定されておらず、端子台６とのみ接続支持されており、半田付け電極６ｂは半田付け部６ｃによって固定されている。尚、電気品箱１を使用しない場合は、空気調和機本体の所定の箇所に端子台６を固定し、端子台６が実装される端子台基板４は、端子台６のみに固定され、空気調和機本体とは接触・固定されないようにする。
【００１４】
また、端子台基板４と電源基板５を電気的に接続するために、端子台基板４及び電源基板５に基板直付けハーネス１２が半田付けされている。
【００１５】
電源基板５には、さらに別に設けられた制御基板（図示せず）と電気的に接続するハーネス１３の接続用のコネクタ１４が設けられている。
【００１６】
空気調和機の室内機と室外機を電気的に接続するための内外接続線１５の芯線１５ａは、電気品箱１の開口部１ａから電気品箱１内部へ入り、端子台６の端子挿入部６ｄから挿入され、端子台６内部の電線固定部６ｅに固定されるとともに電気的に接続されている。電線固定部６ｅは導電材料でできており、半田付け電極６ｂやタブ端子６ｆと一体に形成されて端子を構成し、電気的に導通している。この端子は複数個、端子台６に設けられる。一例では、二つの端子からは室外機へ電力が供給され、他の一つの端子と前記二つの端子の一方は室外機との通信に使用される。
【００１７】
端子台６には、電線固定部６ｅと芯線１５ａの接触不良などによる接触抵抗が大きいときの電力損失による発熱により発煙・発火を防止するための温度ヒューズ１６が、電線固定部６ｅからの熱により遮断動作しやすいように電線固定部６ｅ近傍に設けられている。
【００１８】
空気調和機への商用電源給電用の電源コード１７の一方の内部電線１７ａは、室外機給電用リレー７のタブ端子７ａと接続子１７ｂにより接続され、もう一方の内部電線１７ｃは、端子台６のタブ端子６ｆと接続子１７ｄにより接続されている。端子台６の端子は、夫々が同一の形状であり、タブ端子６ｆは端子の数だけあるが、電源コード１７の一方の内部電線１７ｃが接続されるだけであるから、複数のタブ端子６ｆのうちの一つを露出させるようにして、誤配線を防止する。
【００１９】
温度ヒューズ１６の湾曲したリード部１６ａは、端子台６の内部または外部を通り、端子台基板４と半田付けされている。
【００２０】
図２は端子台基板４に端子台６を実装した平面図であるが、端子台６には温度ヒューズ１６、商用電源が接続される、露出した一つのタブ端子６ｆが見えている。他のタブ端子６ｆは、隠れている。端子台基板４には、室外機給電用リレー７があり、商用電源が接続されるタブ端子７ａが露出している。また、その他に、端子台基板４に実装されたヒューズ８、コンデンサ９、バリスタ１０、基板直付けハーネス１２が見えている。
【００２１】
図３に示すように、端子台基板４には各部品間を電気的に接続するための銅パターン（パターン４ａ、パターン４ｂ、パターン４ｃ）が形成されており、その一つとして端子台６と室外機給電用リレー７の半田付け部を接続するパターン４ａがある。パターン４ｂは、室外機給電用リレー７とヒューズ８を接続する。パターン４ｃは、半田付け電極６ｂと温度ヒューズ１６とを接続する。
【００２２】
図３に示すように、端子台６の基板実装面側に、室外機への内外接続線１５を外すときに用いる電線引き外しボタン６ｇと、端子台基板４の捨て基板２０の孔に嵌合して端子台６の位置を決める基板挿入用突起６ｈが設けられている。
【００２３】
内箱３には内外接続線１５の挿抜時に加わる端子台６への応力や、端子台基板４の反りや取り付けバラツキ等による位置ズレでは接触しない距離をとった位置に、端子台基板４の変位を制限するリブ３ｂ（変位制限部材の一例）が設けられている（図１参照）。
【００２４】
図５は、端子台基板４と電源基板５を一体で製造するときの、基板配置の一例を示したものである。端子台基板４と、電源基板５と、捨て基板２０は一枚の基板から成っており、基板分割部１８、基板分割部１９で分割できるようになっている。この分割方法としては、ミシン目、Ｖカット、スリット等どのような分割方法でも構わない。
【００２５】
捨て基板２０には、端子台６の基板挿入用突起６ｈを挿入するための穴（図示せず）がある。本実施の形態では、基板挿入用突起６ｈを挿入するための穴は捨て基板２０に設けてあるが、端子台基板４に設けても構わない。端子台６の電線引き外しボタン６ｇはこの捨て基板２０の部品実装面側上方に配置されている。
【００２６】
次に動作について、主に図４を用いて説明する。
まず室内機及び室外機への商用電源からの給電経路について説明する。室外機への給電は、電源コード１７からは、一方の内部電線１７ａが接続子１７ｂを介してタブ端子７ａへ接続され、室外機給電用リレー７内部のリレー接点７ｂ（図４参照）、基板パターン４ａ、半田付け電極６ｂ、電線固定部６ｅ、芯線１５ａを介して室外機へ給電される。よって室外機への給電は、室外機給電用リレー７により必要なときのみ給電するように制御されている。
【００２７】
他方の内部電線１７ｃは、基板パターンを介することなく、接続子１７ｄ、タブ端子６ｆ、電線固定部６ｅ、芯線１５ａを介して室外機へ給電される。両給電経路は、図４の太線の回路部分であり、ここには室外機のコンプレッサー（冷凍サイクルの圧縮機）を駆動するための大電流が流れ、部屋の負荷条件によるが、最大能力運転時の電流は一般的には５Ａを超える。尚、本実施の形態では片面基板を使用しているが、両面基板を使用しても問題ないことは言うまでもない。
【００２８】
室内機の電源基板５への給電としては、室外機への給電の途中から分岐しており、一方の内部電線１７ａはタブ端子７ａからパターン４ｂを介してヒューズ８へ接続され、コンデンサ９、バリスタ１０と接続され基板直付けハーネス１２を介して電源基板５へ給電される。
【００２９】
他方の内部電線１７ｃは、半田付け電極６ｂよりパターン４ｃを介して温度ヒューズ１６へ接続され、コンデンサ９、バリスタ１０と接続され、基板直付けハーネス１２を介して電源基板５へ給電される。この給電経路については、室内機で消費する電力のみを供給するために、一般的には５Ａを超えるような大電流は流れない。
【００３０】
次に端子台６周辺の構造的な説明をする。空気調和機の据付工事、取外し工事、移設工事、修理サービス工事をするときには、端子台６から内外接続線１５の芯線１５ａを挿抜する作業があるが、このときに発生する応力は端子台６に加わる。端子台基板４は端子台６以外の部品とは接触・固定されておらず、前記応力は半田付け部６ｃには加わらない。ここで、電線引き外しボタン６ｇは、電気品箱１の開口部１ａからドライバーなどを用いて押すことができ、これにより電線固定部６ｅの固定が解除され、内外接続線１５の芯線１５ａを引き抜くことが可能となる。
【００３１】
また、端子台６は、内箱３の凸形状３ａと端子台６の凹形状６ａとの嵌合と、ネジ１１により固定されており、内外接続線１５の芯線１５ａ挿抜時の応力を端子台６の外郭から内箱３の周辺構造体へ伝えることができる。ここでは端子台６と内箱３の周辺構造体の固定方法として凹凸形状とネジを使用しているが、面形状やその他の嵌合形態などでも同様の効果が得られる。
【００３２】
また、端子台基板４の周辺の構造体である内箱３にリブ３ｂが設けられていることにより、万一過大な応力が直接端子台基板４に加えられると、端子台基板４が変位するがその変位はリブ３ｂで制限されることになる。
【００３３】
次に温度ヒューズ１６について説明する。温度ヒューズ１６は、端子台６と内外接続線１５の芯線１５ａの電線固定部６ｅ近傍に配置されているが、芯線１５ａと電線固定部６ｅが正常に取り付けられていれば、その接続部の接触抵抗は小さく、そこで発生する電力損失も小さいため発熱も小さく温度ヒューズ１６は遮断動作温度に達することなく、導通を継続する。
【００３４】
しかし、芯線１５ａと電線固定部６ｅが、芯線１５ａの挿入不十分などの理由により接触が十分でないと、その接続部の接触抵抗は大きく、そこで発生する電力損失も大きいため発熱も大きくなり。その熱により温度ヒューズ１６が遮断動作温度に達すると、温度ヒューズ１６は遮断し、通電が停止するため発熱が止まる。この動作により、端子台６への内外接続線１５挿入不具合時に発生する熱による発煙・発火の事故を防止することができる。
【００３５】
本実施の形態では、温度ヒューズ１６は半田付けにより端子台基板４と接続されており、かしめ加工等のリード線取付作業を必要とせずに、組立が可能である。
【００３６】
また、温度ヒューズ１６は、端子台基板４の半田付け部から１０ｍｍ以上の距離が離れているために、フロー半田付け時の溶融した半田からの熱及びフロー半田付け後の端子台基板４などの温度上昇した箇所からの余熱の影響を緩和することができる。温度ヒューズ１６は、端子台６の内部又は端子台６の反端子台基板４側に実装されていればよい。
【００３７】
また、温度ヒューズ１６のリード部１６ａを湾曲させることにより（図１参照）、室温変化や空気調和機の運転動作などに伴う端子台６の温度変化による端子台６の寸法変化があるが、半田付け部６ｃへの応力を湾曲したリード部１６ａで緩和することができる。
【００３８】
次に端子台基板４へ実装する部品について説明する。図４の太線部分で示した室外機のコンプレッサー駆動用の大電流が流れる経路に室外機給電用リレー７があり、端子台基板４にこの室外機給電用リレー７を実装することにより、大電流が流れる経路を短く、接続点を少なくすることができる。
【００３９】
また、フィルタ回路（図示せず）は、空気調和機から発生するノイズ成分と外部から伝導されるノイズ成分の伝達を抑制するための回路であるが、端子台基板４にフィルタ回路の一部であるコンデンサ９を実装することにより、商用電源の給電口により近い位置にフィルタ回路を配置することができ、放射・伝導ノイズを低減することができる。この実施の形態では、コンデンサ９のみを実装しているが、ラインフィルター等の他のフィルタ回路部品を実装しても構わない。また、室内機と室外機の通信回路等のフィルタ回路以外の部品を実装しても構わない。
【００４０】
次に端子台基板４関連の製造方法について説明する。図５の端子台基板４と電源基板５は、半田付け工程までは一体で製造し、電気品箱１への組み込み工程前に基板分割部１８及び基板分割部１９で分割し、各々の取り付け場所へ収納している。
【００４１】
また、端子台６の電線引き外しボタン６ｇの半田付け方向側に捨て基板２０を設けることで、直接半田が接触することを防ぐとともに半田からの熱影響を軽減できる。これにより半田付け時の熱による電線引き外しボタン６ｇの熱変形、電線引き外しボタン６ｇへの半田付着を防止することができる。
【００４２】
また、端子台６に２箇所設けられた基板挿入用突起６ｈ（図３参照）は、捨て基板２０の穴（図示せず）に挿入され、端子台６は半田付けされる。
【００４３】
また、端子台６のタブ端子６ｆには、電気品箱１の配線作業時に接続子１７ｄが挿入される。
【００４４】
以上に説明したとおり、本実施の形態に係る空気調和機は、端子台６を端子台基板４上に実装し、端子台６を周辺の構造体である内箱３に固定し、端子台基板４は内箱３に固定されない構成としたので、内外接続線１５の挿抜時の応力が端子台６の半田付け部６ｃに加わらず、半田付け部６ｃの信頼性を高くすることができるとともに、端子台６と端子台基板４の接着等の固定強化手段が不要となり加工費削減ができる。
【００４５】
また、端子台基板４に端子台６を実装することで、ケーブルアセンブリーの接続点を少なくすることができ、接続不良削減による品質向上、接続点での接触抵抗による電力損失削減による消費電力削減をすることができる。
【００４６】
また、電線挿抜時の応力を端子台６の外郭から周辺構造体である内箱３（空気調和機本体の所定箇所の一例）に伝える構造としたことにより、端子台６に加わる応力を内箱３で受けることができ、固定が強固となることで部品破損し難くなり、品質改善できる。
【００４７】
また、端子台基板４の周辺の構造体に、端子台基板４の変位を制限するリブ３ｂを設けたことで、万一過大な応力が直接端子台基板４に加えられると、端子台基板４が変位するがその変位はリブ３ｂで制限されることになる。
【００４８】
また、端子台６上に配置した温度ヒューズ１６を端子台基板４に半田付けすることで、リード線へのかしめ作業等の複雑な作業が不要となり、加工費の低減ができる。
【００４９】
また、温度ヒューズ１６は温度で作動する部品であり遮断動作温度より十分低い温度で保持する必要があるが、温度ヒューズ１６を端子台基板４の基板実装面の上方１０ｍｍ以上（端子台６の内部又は端子台６の反端子台基板４側に実装されていればよい）に実装することで、半田付け時の熱による温度ヒューズ１６の温度上昇を軽減でき、温度ヒューズ１６の信頼性を高くすることができる。
【００５０】
また、温度ヒューズ１６のリード部１６ａが湾曲することにより、端子台６の温度変化に伴う寸法変化により発生する半田付け部６ｃへの応力を軽減することができ、半田付け部６ｃの信頼性を高くすることができる。
【００５１】
端子台６を実装した端子台基板４に、室外機給電用リレー７とヒューズ８も実装したことにより、大電流が流れる経路を小さくでき、抵抗減少による発熱低減による信頼性向上、ヒューズ８故障時の基板交換部位を端子台基板４へ限定できることによるサービス時のコスト削減効果が得られる。
【００５２】
また、端子台６を実装した端子台基板４に、フィルタ回路又はその一部（例えば、コンデンサ９）を実装したことにより、ノイズ低減効果が得られる。
【００５３】
端子台６を実装した端子台基板４と、他の回路を実装した電源基板５を一体で製造し、半田付けした後に分割して周辺構造体である内箱３に納めることにより、それぞれ別々に製造するよりも作業工程や冶工具や管理作業を削減することができ、安価に製造することができる。さらに基板間の接続ハーネスに基板直付けハーネス１２を使用することが容易となり、コスト削減、信頼性向上効果が得られる。
【００５４】
端子台６を端子台基板４上に実装し、その端子台６の電線引き外しボタン６ｇと半田付け電極６ｂを同一面に設置したことにより、端子台基板４を、例えば斜め下方に向けて配置しても（図１参照）、電線引き外しボタン６ｇを電気品箱１外部から容易に操作することが可能となり、逆に端子台基板４を配置したときに比べ、基板収納スペースを小型化できる。
【００５５】
半田付け時には、電線引き外しボタン６ｇの下方に捨て基板２０があり、半田付け後にその捨て基板２０を取り外すことにより、電線引き外しボタン６ｇへの半田付着による熱変形、半田飛散を防止することができ、品質改善できる。
【００５６】
端子台６の基板実装面側に、端子台基板４に挿入する基板挿入用突起６ｈを２箇所以上設けたことにより、端子台６と端子台基板４の位置ズレを軽減することができ、端子台６の半田付け部６ｃの位置精度が高くなり信頼性の高い半田付けが可能となるとともに、端子台６に固定された端子台基板４の位置寸法精度が高くなり、基板収納スペースの小型化が可能となる。
【００５７】
端子台６の複数の端子のうちの一つのタブ端子６ｆを、接続子１７ｄと嵌合する形状として露出させたことにより、製造時やサービス時などの接続子配線作業において、誤配線を防止することができ、品質改善、加工費削減ができる。
【００５８】
また、端子台６に端子を設けることにより、基板パターンに大電流を流すことなく室外機への給電が可能となり、基板パターンや半田付け部での発熱が無いことにより、信頼性を高くすることができる。
【符号の説明】
【００５９】
１  電気品箱、１ａ  開口部、２  外箱、３  内箱、３ａ  凸形状、３ｂ  リブ、４  端子台基板、４ａ  パターン、４ｂ  パターン、４ｃ  パターン、５  電源基板、６  端子台、６ａ  凹形状、６ｂ  半田付け電極、６ｃ  半田付け部、６ｄ  端子挿入部、６ｅ
電線固定部、６ｆ  タブ端子、６ｇ  電線引き外しボタン、６ｈ  基板挿入用突起、７
室外機給電用リレー、７ａ  タブ端子、８  ヒューズ、９  コンデンサ、１０  バリスタ、１１  ネジ、１２  基板直付けハーネス、１３  ハーネス、１４  コネクタ、１５  内外接続線、１５ａ  芯線、１６  温度ヒューズ、１６ａ  リード部、１７  電源コード、１７ａ  内部電線、１７ｂ  接続子、１７ｃ  内部電線、１７ｄ  接続子、１８  基板分割部、１９  基板分割部、２０  捨て基板。
【図２】
0005545905.tif 000002
【図３】
0005545905.tif 000003
【図４】
0005545905.tif 000004
【図５】
0005545905.tif 000005
【図１】
0005545905.tif 000006